(57)【要約】【課題】電線がハウジングからの導出方向と交差する方向の外力を受けることに起因して端子金具がハウジング内で姿勢を傾けるのを防止する。【解決手段】端子金具２０のインシュレーションバレル部２４には、キャビティ１１の内壁に当接することで、端子金具２０が軸線方向に対して交差する方向へ傾くことを規制可能な傾動規制部３２と、端子金具２０の軸線方向に対して傾斜し、端子金具２０をキャビティ１１に挿入する過程でキャビティ１１の後端の開口縁に摺接可能な姿勢矯正部３１とが形成されている。【選択図】図１
2010067432.tif 000002
【特許請求の範囲】
【請求項１】
内部にキャビティが形成されたハウジングと、
前端側領域に相手側端子との接続手段として機能する端子接続部が形成され、前記端子接続部の後方に電線圧着部が形成されていて、後方から前記キャビティ内に挿入された端子金具と、
導体を絶縁被覆で包囲した形態であり、前記絶縁被覆を除去して露出させた前記導体の前端部が前記ワイヤバレル部に圧着され、前記絶縁被覆で包囲されている部分が前記インシュレーションバレル部に圧着され、ハウジングの後方へ導出された電線とを備えており、
前記インシュレーションバレル部には、
前記キャビティの内壁に当接することで、前記端子金具が軸線方向に対して交差する方向へ傾くことを規制可能な傾動規制部と、
前記端子金具の軸線方向に対して傾斜し、前記端子金具を前記キャビティに挿入する過程で前記キャビティの後端の開口縁に摺接可能な姿勢矯正部とが形成されていることを特徴とするコネクタ。
【請求項２】
前記傾動規制部が、前記姿勢矯正部の後端に連なるように形成されていることを特徴とする請求項１記載のコネクタ。
【発明の詳細な説明】
【技術分野】
【０００１】
本発明は、コネクタに関するものである。
【背景技術】
【０００２】
特許文献１には、ハウジング内に端子金具を挿入して構成されるコネクタが開示されている。端子金具は、後端側部分にオープンバレル状のワイヤバレル部を有しており、このワイヤバレル部には、電線における絶縁被覆を除去して露出された導体が圧着により導通可能に接続されている。端子金具に接続された電線は、ハウジング外を導出されている。
【特許文献１】特開２００５−２２２８１５公報
【発明の開示】
【発明が解決しようとする課題】
【０００３】
一般的な電線では、導体として比較的剛性の低い銅が用いられているが、導体として銅よりも剛性の高い材料（例えば、アルミニウム）を用いたり、銅よりも導電率の低い材料（例えば、アルミニウム）を用いたことに伴って導体を太くしたために結果的に導体の剛性が高まってしまうことがある。このような場合、ハウジングの後方へ導出されている電線が、ハウジングからの導出方向と交差する方向の外力を受けて変位すると、電線の剛性により、端子金具がハウジング内で姿勢を傾ける虞がある。端子金具の姿勢が変化すると、相手側端子との接触状態が不安定となり、接触信頼性の低下が懸念される。
【０００４】
本発明は上記のような事情に基づいて完成されたものであって、電線がハウジングからの導出方向と交差する方向の外力を受けることに起因して端子金具がハウジング内で姿勢を傾けるのを防止することを目的とする。
【課題を解決するための手段】
【０００５】
上記の目的を達成するための手段として、請求項１の発明は、内部にキャビティが形成されたハウジングと、前端側領域に相手側端子との接続手段として機能する端子接続部が形成され、前記端子接続部の後方に電線圧着部が形成されていて、後方から前記キャビティ内に挿入された端子金具と、導体を絶縁被覆で包囲した形態であり、前記絶縁被覆を除去して露出させた前記導体の前端部が前記ワイヤバレル部に圧着され、前記絶縁被覆で包囲されている部分が前記インシュレーションバレル部に圧着され、ハウジングの後方へ導出された電線とを備えており、前記インシュレーションバレル部には、前記キャビティの内壁に当接することで、前記端子金具が軸線方向に対して交差する方向へ傾くことを規制可能な傾動規制部と、前記端子金具の軸線方向に対して傾斜し、前記端子金具を前記キャビティに挿入する過程で前記キャビティの後端の開口縁に摺接可能な姿勢矯正部とが形成されているところに特徴を有する。
【０００６】
請求項２の発明は、請求項１に記載のものにおいて、前記傾動規制部が、前記姿勢矯正部の後端に連なるように形成されているところに特徴を有する。
【発明の効果】
【０００７】
＜請求項１の発明＞
インシュレーションバレル部に、キャビティの内壁に当接することで端子金具が軸線方向に対して交差する方向へ傾くことを規制可能な傾動規制部を形成したので、電線に対しハウジングからの導出方向と交差する方向の外力が作用しても、端子金具の姿勢の傾きが防止される。
【０００８】
また、端子接続部に比べて電線の外径寸法が小さい場合には、キャビティの内壁とインシュレーションバレル部との間の隙間により、端子金具が傾いた姿勢で挿入されることが懸念される。その点、本発明では、インシュレーションバレル部に端子金具の軸線に対して傾斜した姿勢矯正部を形成しているので、端子金具がキャビティに対して傾いた姿勢で挿入されても、姿勢矯正部がキャビティの後端の開口縁に摺接することにより端子金具の姿勢が矯正される。
【０００９】
＜請求項２の発明＞
傾動規制部が姿勢矯正部の後端に連なっているので、傾動規制部の前端がキャビティの開口縁に引っ掛かることがなく、端子金具の挿入を円滑に完了させることができる。
【発明を実施するための最良の形態】
【００１０】
＜実施形態１＞
以下、本発明を具体化した実施形態１を図１及び図２を参照して説明する。本実施形態のコネクタＡは、ハウジング１０と、端子金具２０と、電線４０とを備えて構成されている。
【００１１】
電線４０は、導体４１を絶縁被覆４２で包囲した周知の形態のものである。電線４０の前端部においては、端子金具２０に接続されるのに先立ち、絶縁被覆４２が除去されて導体４１が露出した状態となっている。導体４１の材料としては、銅や、銅よりも剛性が高い材料（例えば、アルミニウム）や、銅よりも導電率の低い材料（例えば、アルミニウム）が用いられる。
【００１２】
ハウジング１０は、合成樹脂製であり、その内部には前後方向に細長いキャビティ１１が形成されている。キャビティ１１の後端はハウジング１０の後端面において端子挿入口１２として開口している。
【００１３】
端子金具２０は、所定形状に打ち抜いた金属板材に曲げ加工等を施すことによって形成された雌形のものであり、前端側領域は角筒状をなす端子接続部２１となっている。端子接続部２１は、雄形の相手側端子に形成されている細長いタブ（図示せず）との接続手段として機能する周知形態のものである。
【００１４】
端子金具２０の後端側領域（端子接続部２１の後方）には、オープンバレル状の電線圧着部２２が形成されている。電線圧着部２２は、電線圧着部２２の前端側領域に形成されたワイヤバレル部２３と、後端側領域（ワイヤバレル部２３よりも後方）に形成されたインシュレーションバレル部２４とを備えて構成されている。
【００１５】
ワイヤバレル部２３は、第１底壁２６の左右両側縁から一対の第１カシメ片２７を立ち上げた形態であり、このワイヤバレル部２３には、電線４０の導体４１が圧着により導通可能に接続されている。圧着の際には、第１底壁２６に載置した導体４１に対し第１カシメ片２７を変形させて巻き付けることで、導体４１がワイヤバレル部２３で包囲される。ワイヤバレル部２３に導体４１が圧着された状態では、ワイヤバレル部２３の上端の高さは、端子接続部２１の上面よりも低くなっている。
【００１６】
インシュレーションバレル部２４は、ワイヤバレル部２３の第１底壁２６に連なる第２底壁２８から一対の第２カシメ片２９を立ち上げた形態である。インシュレーションバレル部２４には、電線４０の前端部における絶縁被覆４２で覆われた部分が、圧着により接続されている。圧着の際には、第２底壁２８に載置した電線４０に対し第２カシメ片２９を変形させて巻き付けることで、電線４０がインシュレーションバレル部２４で包囲される。
【００１７】
インシュレーションバレル部２４に電線４０を圧着するときには、インシュレーションバレル部２４に、第２カシメ片２９の延出端縁から上方（第２底壁２８と反対方向）へ突出する突起部３０が形成される。突起部３０は、電線４０の軸線と直交する側方から見て略三角形をなす左右一対の板状部を重ね合わせた形態であり、インシュレーションバレル部２４の前端から後端に亘って連続して形成されている。突起部３０は、前端が最も低く、後端が最も高く、突起部３０の上縁部は、前方に向かって下り勾配となっている、この突起部３０の上縁部は、その前端から後端に亘り、姿勢矯正部３１として機能する。また、突起部３０の後端部、つまり、最も高い部分は、傾動規制部３２として機能する。インシュレーションバレル部２４の第２底壁２８の下面の高さは、端子接続部２１の底面壁の下面とほぼ同じ高さであり、傾動規制部３２の上縁部の高さは、端子接続部２１の上面とほぼ同じ高さとなっている。
【００１８】
端子金具２０は、後方からキャビティ１１内に挿入される。正規位置まで挿入された端子金具２０は、図示しない周知のランスにより抜止めされる。端子金具２０が挿入された状態では、電線４０がハウジング１０の後面から後方へ導出される。端子金具２０の前端側領域においては、端子接続部２１の上下両面とキャビティ１１の上下両面との間には、キャビティ１１に対する端子金具２０の挿入動作を円滑にするための僅かなクリアランスが確保されているだけであって、端子金具２０が上下に大きくガタ付くような空間は空いていない。
【００１９】
また、端子金具２０の後端部においては、第２底壁２８の下面と傾動規制部３２との間には、キャビティ１１に対する端子金具２０の挿入動作を円滑にするための僅かなクリアランスが確保されているだけであって、端子金具２０が上下に大きくガタ付くような空間は空いていない。したがって、電線４０に対しハウジング１０からの導出方向と交差する方向の外力が作用しても、第２底壁２８がキャビティ１１の下面に当接すること、又は傾動規制部３２がキャビティ１１の上面に当接することにより、端子金具２０がキャビティ１１内に姿勢を傾ける虞はない。
【００２０】
また、端子接続部２１に比べて電線４０の外径寸法が小さいため、キャビティ１１の内壁とインシュレーションバレル部２４との間の空間により、端子金具２０が傾いた姿勢で挿入されることが懸念される。その点、本実施形態は、インシュレーションバレル部２４に端子金具２０の軸線に対して傾斜した姿勢矯正部３１を形成しているので、端子金具２０がキャビティ１１に対して傾いた姿勢で挿入されても、姿勢矯正部３１がキャビティ１１の端子挿入口１２の開口縁に摺接することにより端子金具２０の姿勢が矯正される。
【００２１】
また、傾動規制部３２が、姿勢矯正部３１の後端に連なるように形成されているので、傾動規制部３２の前端がキャビティ１１の端子挿入口１２の開口縁に引っ掛かることがなく、端子金具２０の挿入を円滑に完了させることができる。
【００２２】
＜実施形態２＞
次に、本発明を具体化した実施形態２を図３を参照して説明する。本実施形態２のコネクタＢは、端子金具５０のインシュレーションバレル部５２に形成した傾動規制部５７と姿勢矯正部５６を上記実施形態１とは異なる構成としたものである。その他の構成については上記実施形態１と同じであるため、同じ構成については、同一符号を付し、構造、作用及び効果の説明は省略する。
【００２３】
インシュレーションバレル部５２には、電線４０を圧着するときに、出第２カシメ片５４の延出端縁から上方（第２底壁５３と反対方向）へ突出する突起部５５が形成される。突起部５５は、電線４０の軸線と直交する側方から見て不等脚台形をなす左右一対の板状部を重ね合わせた形態である。突起部５５は、インシュレーションバレル部５２の前端よりも後方の位置からインシュレーションバレル部５２の後端に亘って形成されている。
【００２４】
突起部５５の前端側領域は、上縁部が前方に向かって下り勾配となった姿勢矯正部５６となっている。姿勢矯正部５６は、前端が最も低く、後端が最も高くなっている。突起部５５の後端側領域は、上縁部の高さが一定の傾動規制部５７となっている。インシュレーションバレル部５２の第２底壁５３の下面の高さは、端子接続部５１の底面壁の下面とほぼ同じ高さであり、傾動規制部５７の上縁部の高さは、端子接続部５１の上面とほぼ同じ高さとなっている。
【００２５】
キャビティ１１内に挿入された状態の端子金具５０の上下方向の姿勢の傾きは、インシュレーションバレル部５２の第２底壁５３又は傾動規制部５７がキャビティ１１の内面に当接することによって、規制される。また、端子金具５０がキャビティ１１に対して斜め姿勢で挿入されたときには、姿勢矯正部５６が端子挿入口１２の開口縁に摺接することにより、端子金具５０の姿勢が矯正される。
【００２６】
また、傾動規制部５７が、姿勢矯正部５６の後端に連なるように形成されているので、傾動規制部５７の前端がキャビティ１１の端子挿入口１２の開口縁に引っ掛かることがなく、端子金具５０の挿入を円滑に完了させることができる。
【００２７】
＜他の実施形態＞
本発明は上記記述及び図面によって説明した実施形態に限定されるものではなく、例えば次のような実施態様も本発明の技術的範囲に含まれる。
（１）上記実施形態では傾動規制部を姿勢矯正部の後端に連なるように形成したが、傾動規制部を、姿勢矯正部の後端から更に後方へ離間した位置に配置してもよい。
（２）上記実施形態では端子金具が雌形のものである場合について説明したが、本発明は、端子金具が先端に細長いタブを有する雄形である場合にも適用できる。
【図面の簡単な説明】
【００２８】
【図１】実施形態１の断面図
【図２】端子金具の背面図
【図３】実施形態２の断面図
【符号の説明】
【００２９】
Ａ…コネクタ
１０…ハウジング
１１…キャビティ
２０…端子金具
２１…端子接続部
２２…電線圧着部
２３…ワイヤバレル部
２４…インシュレーションバレル部
３１…姿勢矯正部
３２…傾動規制部
４０…電線
４１…導体
４２…絶縁被覆
Ｂ…コネクタ
５０…端子金具
５１…端子接続部
５２…インシュレーションバレル部
５６…姿勢矯正部
５７…傾動規制部
【図１】
2010067432.tif 000003
【図２】
2010067432.tif 000004
【図３】
2010067432.tif 000005